(57)【要約】【課題】  把持部を押し込んだ際に環状巻回部の最外層のみが膨らむことを防止することにより、緩衝機能の確保と錠剤等の不慮の散乱を防止する。【解決手段】  伸縮性を有する筒状のネット２の軸方向一端側を径方向外側へ捲り上げつつネット２の軸方向他端に至るまで多重に巻回してなる環状巻回部３と、ネット２の軸方向他端に設けられた硬質の把持部４とを備える詰め物１において、把持部４が環状巻回部３の中心穴５に押し込まれる際に把持部４によって環状巻回部３が内側から押し広げられ、これにより環状巻回部３を構成する各層が一体として捲り上げられるように、把持部４の軸長を必要かつ十分な長さにするとともに、把持部４の最大幅Ｗを環状巻回部３の中心穴５の径Ｒよりも大きくする。【選択図】  図１
2007197026.tif 000002
【特許請求の範囲】
【請求項１】
伸縮性を有する筒状のネット（２）の軸方向一端側を径方向外側へ捲り上げつつネット（２）の軸方向他端に至るまで多重に巻回してなる環状巻回部（３）と、ネット（２）の軸方向他端に設けられた硬質の把持部（４）とを備え、把持部（４）の最大幅は前記環状巻回部（３）の中心穴（５）の径よりも大きいことを特徴とする容器の詰め物。
【請求項２】
前記把持部（４）は、前記ネット（２）の軸方向他端部の軸方向所定長さの領域を束ねて溶着することによって構成されていることを特徴とする請求項１に記載の容器の詰め物。
【請求項３】
前記把持部（４）は、軸方向から見て断面非円形であることを特徴とする請求項１又は２に記載の容器の詰め物。
【請求項４】
前記把持部（４）の最大幅が前記環状巻回部（３）の中心穴（５）の径の１．５〜３倍であることを特徴とする請求項１，２又は３に記載の容器の詰め物。
【発明の詳細な説明】
【技術分野】
【０００１】
本発明は、錠剤やカプセル剤などの固形物を多数収容したガラス瓶又はプラスチック製瓶等の包装用容器の上部に生じる空間を充填して、これにより緩衝材として機能させるための容器の詰め物に関する。
【背景技術】
【０００２】
この種従来の詰め物として、本願出願人らは特許文献１に記載のものを既に開示している。
【特許文献１】特開２００３−４０３３５号公報
【０００３】
この従来の詰め物は、図５及び図６にも示すように、一端が開放されて他端が固結部２１にされ、且つ筒状に形成された弾性を有するネット材２２を、その開放端を外側へ捲り上げて環状巻き込み部２３に形成し、該環状巻き込み部２３を上記固結部２１まで順次巻き込んでいって塊状体としたものである。この従来の詰め物の固結部は、ネットの他端部を平坦な円板状に溶着してなるものであった。
【発明の開示】
【発明が解決しようとする課題】
【０００４】
上記従来の詰め物は、容器の上部空間に入れる前は固結部２１は環状巻回部２３よりも上方に突出した位置にあり、この固結部２１を摘んで容器内への押し込みを容易に行えるものである。しかし、容器にキャップを装着すると、図７に示すように該キャップによって固結部２１が下方に押し込まれ、これに伴い最外層２４のネットのみが膨らんで巻回が緩んだ状態となることがあった。このように最外層２４のみが膨らんだ状態となると、容器内容物の緩衝機能が大きく低下するとともに、膨らんだ最外層２４のネットの中心部に錠剤が入り込み、詰め物を取り出した際に錠剤が不慮に取り出されて床に散乱させてしまうことがあった。また、固結部２１が下方に押し込まれることに伴い、最外層２４のみが下方だけでなく上方にも膨らんだ場合、キャップの装着中に容器口部とキャップとの間で、膨らんだネットが噛み込むことがあった。
【０００５】
そこで、本発明は、環状巻回部の最外層のみが膨らむことを防止し得る詰め物を提供することを目的とする。
【課題を解決するための手段】
【０００６】
本発明は、上記目的を達成するために、次の技術的手段を講じた。
【０００７】
即ち、本発明の容器の詰め物は、伸縮性を有する筒状のネットの軸方向一端側を径方向外側へ捲り上げつつネットの軸方向他端に至るまで多重に巻回してなる環状巻回部と、ネットの軸方向他端に設けられた硬質の把持部とを備え、把持部の最大幅は前記環状巻回部の中心穴の径よりも大きいことを特徴とするものである。かかる本発明によれば、硬質の把持部に所要の幅と軸方向長さとを持たせたことによって、把持部が環状巻回部の中心に押し込まれる際に、把持部によって環状巻回部全体が内側から押し広げられ、これにより環状巻回部を構成する各層間の摩擦抵抗力を増し、環状巻回部全体が把持部の押し込みとともに変形して、環状巻回部がより緊密に巻回されるようになる。いわば把持部がクサビのように機能し、環状巻回部の最外層のみが膨らむことを防止する。
【０００８】
本発明の詰め物において、上記把持部は、ネットの軸方向他端部の軸方向所定長さの領域を束ねて所定形状に溶着することにより形成されたものであってもよく、溶着に代えて若しくは溶着とともに接着剤を用いて接着したものであってもよく、また、ネットとは別に形成された部材をネットの軸方向他端部に取り付けたものであってもよい。把持部の硬度は、環状巻回部の弾力に抗して該環状巻回部を変形させるに足る程度であれば良い。さらに、このネットとは別に形成された部材に、吸湿機能を付与した樹脂（例えば、商標名「ドライキープ」）を用いれば、容器内の湿度を有用にコントロールすることができる。
【０００９】
また、前記把持部は、断面非円形であることが好ましく、例えば、所定の幅と軸方向長さとを有する平板状、断面十字形、断面Ｖ字形、断面Ｗ字形、断面コ字形などとすることができる。これによれば、把持部が環状巻回部の中心に押し込まれた際に、環状巻回部が周方向複数箇所で歪に変形することにより、各層間の一体性が一層向上され、最外層のみが膨らむことをより確実に防止し得る。さらに、把持部の上端面がキャップの天面に面接触乃至複数点（好ましくは３点以上）で点接触するため、キャップ天面によって把持部が押し込まれる際に把持部が倒れにくくなる。
【００１０】
また、前記把持部の軸長は、前記環状巻回部の軸長よりも小さくすることができる。これによれば、把持部と環状巻回部の上端が揃うまで把持部を環状巻回部の中心穴に押し込むと、環状巻回部の下端近傍の下部穴がより一層窄むようになり、該下部穴へ錠剤等が入り込むことを一層防止できる。また、把持部の軸長は環状巻回部の軸長の１／５よりも大きくするのが好ましく、より好ましくは１／４よりも大きくすることができ、さらに好ましくは１／３よりも大きくすることができる。
【発明の効果】
【００１１】
本発明によれば、把持部が環状巻回部の中心に押し込まれても、最外層のみが膨らむことを防止することができ、その結果、緩衝機能の確保を図ることができるとともに、容器内部の錠剤等を不慮に落としてしまうことを防止できる。またクサビ効果によりさらに環状巻回部を内側に巻き込むため、最外層の膨らみやゆるみを取って、さらに締め込む効果を奏する。
【発明を実施するための最良の形態】
【００１２】
以下、本発明の実施形態を図面に基づいて説明する。
【００１３】
図１〜図３は本発明の一実施形態に係る容器の詰め物１を示し、該詰め物１は、錠剤やカプセル剤などの固形内容物を多数収容した容器の上部空間に充填されて、多数の内容物の緩衝材として機能するものであり、その基本構成は特開２００３−４０３３５号公報に開示したものと同様である。
【００１４】
本実施形態に係る詰め物１は、伸縮性並びに弾性を有する筒状のプラスチック製ネット２の軸方向一端側を径方向外側へ捲り上げつつネット２の軸方向他端に至るまで多重に巻回してなる環状巻回部３と、ネット２の軸方向他端に設けられた硬質の把持部４とを備えている。容器の上部空間に詰め込む前は、図３に示すように把持部４は環状巻回部３よりも上方に突出した位置にあり、容器内へ詰めた後に容器にキャップをすると、図１に示すようにキャップの天板によって把持部４の上端部が環状巻回部３の上端に揃うまで把持部４が環状巻回部３の中心穴５に押し込まれるようになっている。
【００１５】
把持部４は、筒状ネット２の軸方向他端部（図において上端部）の軸方向所定長さの領域を所定形状並びに大きさに束ねて溶着することにより形成されており、本実施形態においては平板状に構成されている。この把持部４の軸長は、把持部４を中心穴５に押し込んでいないときの環状巻回部３の軸長の約半分程度とされ、把持部４の最大幅Ｗは環状巻回部３の中心穴５の径Ｒの１．５〜３倍とされている。なお、把持部４の軸長とは、本願発明の作用を奏するに足る硬度並びに幅を有する部分の軸長であり、また、環状巻回部３の軸長とは、環状巻回部の高さ寸法である。
【００１６】
本実施形態に係る詰め物１によれば、図１に示すように、容器のキャップの天板によって把持部４が環状巻回部３の中心穴５に押し込まれる際に、把持部４の板面方向の２カ所で環状巻回部３が内側から押し広げられ、これにより環状巻回部３を構成する各層が一体として捲り上げられるようになり、最外層のみが膨らむことが防止される。さらに、把持部４は環状巻回部３の軸方向中途部までしか存在しないため、環状巻回部の下端部近傍においては環状巻回部３の各層が径方向内側に膨出するようになって、その下部穴６が一層窄むようになり、錠剤等が下部穴６に入り込むことを効果的に防止できる。
【００１７】
なお、筒状ネット２の材質は、一般に用いられるプラスチック、例えばポリエチレン、ポリプロピレン、ポリ塩化ビニル、ポリ塩化ビニリデン、ポリエステル、エチレンビニルアセテート、或いはナイロン等が適用できるが、それらの発泡体であっても同様に利用することができる。ネットの線径や小型包装容器内で固形剤の詰め物に適用することから、直径５ｍｍ以下にすることが望ましい。また、ネットの編目の大きさは、使用時には包装容器内で圧縮されるので固形剤が編目から抜け出ることはないが、一辺が２０ｍｍ以下のものを使用するのが実用的である。また、編目の形状は菱形に限らず、正方形、矩形、三角形、六角形或いは円形などに形成されていてもかまわない。
【００１８】
本発明は上記実施形態に限定されるものではなく、適宜設計変更できる。例えば、前記把持部は、図４に示すような断面非円形の各種構造とすることができる。これらの変形実施例に係る把持部によれば、把持部の上端面がキャップ天面に面接触するため、キャップによって把持部を押し込む際に把持部が倒れにくい。
【図面の簡単な説明】
【００１９】
【図１】本発明の一実施形態に係る詰め物の使用状態の縦断面図である。
【図２】同詰め物の平面図である。
【図３】同詰め物の縦断面図である。
【図４】同詰め物の把持部の各種変形実施例（ａ）〜（ｆ）を示し、上段は平面図、下段は正面図である。
【図５】従来の詰め物の平面図である。
【図６】従来の詰め物の縦断面図である。
【図７】従来の詰め物の使用状態の縦断面図である。
【符号の説明】
【００２０】
１  詰め物
２  筒状ネット
３  環状巻回部
４  把持部
５  中心穴
【図１】
2007197026.tif 000003
【図２】
2007197026.tif 000004
【図３】
2007197026.tif 000005
【図４】
2007197026.tif 000006
【図５】
2007197026.tif 000007
【図６】
2007197026.tif 000008
【図７】
2007197026.tif 000009